(57)【特許請求の範囲】
【請求項１】
直線的に移動することにより筒状部材に収容された粉末を所定密度まで圧縮する圧縮部材と、
前記圧縮部材の移動域の終端に構成された粉末計量部と前記圧縮部材の移動域の終端側方に構成された粉末送り出し部との間を往復移動可能に配置され、かつ前記圧縮部材と対向するように前記粉末計量部として機能する計量孔が形成された計量部材と、を備え、
前記筒状部材に収容された粉末の一部を前記計量部材の前記計量孔内に導入し、前記圧縮部材の移動により前記計量孔内で圧縮された所定量の粉末を前記計量部材の移動に伴って前記粉末計量部から前記粉末送り出し部に移送し、当該粉末送り出し部に移送された所定量の粉末を空とした後に、前記計量部材を原位置にまで復帰させて繰り返し動作を可能にしたことを特徴とする粉末の所定量繰り返し送り出し可能な容器。
【請求項２】
前記圧縮部材がピストン又はプランジャーであって、当該圧縮部材は前記計量部材に接近する方向にのみ移動可能であることを特徴とする請求項１に記載の粉末の所定量繰り返し送り出し可能な容器。
【請求項３】
前記計量部材が、前記圧縮部材の一回当たりの移動距離と略同一の板厚を有し、前記粉末を圧縮する押圧力を受け止める圧受け部材と協働することにより、所定量の粉末が分取されることを特徴とする請求項１または２に記載の粉末の所定量繰り返し送り出し可能な容器。
【請求項４】
前記筒状部材が、当該筒状部材に収容された粉末の送り出し回数又は粉末の残量を示す表示手段を備えていることを特徴とする請求項１〜３のいずれかに記載の粉末の所定量繰り返し送り出し可能な容器。
【請求項５】
前記粉末送り出し部に気体導入孔が形成され、この気体導入孔に圧送気体供給手段を連結するとともに、当該粉末送り出し部における噴射部をノズル状に形成したことを特徴とする請求項１〜４のいずれかに記載の粉末の所定量繰り返し送り出し可能な容器。
【請求項６】
略筒状に形成された上本体（１１）と、前記上本体（１１）に対して回動自在に装着された有底筒状の下本体（１２）とにより外郭が構成されるとともに、前記上本体（１１）の上端部に粉末送出口を備えたマウスピース（１１ｍ）が装着されており、
前記上本体（１１）は、その側壁に上下方向に走る透視窓孔を備え、
前記マウスピース（１１ｍ）は、その内壁中段に開口面積の一部分を閉塞する障壁（１１ｍｂ）を備えると共にその下端域に残余の開口面積を略閉塞する障壁（１１ｍｃ）を備え、
前記外郭の内部には、
収容された粉末薬剤を所定密度まで圧縮する粉末圧縮手段Ａと、
前記粉末圧縮手段Ａにより圧縮状態にされた粉末薬剤から所定量の粉末薬剤を分取する計量手段Ｂと、
前記粉末を圧縮させるために加えられた外力を、前記粉末圧縮手段Ａに伝達させる力伝達手段Ｃと、
前記粉末圧縮手段Ａで圧縮された所定量の粉末薬剤を、気体の導入に伴って外方に送出する粉末送出手段Ｄと、が内蔵され、
前記粉末圧縮手段Ａは、包括シリンダー（１１ｇ）内に収容された内筒（１１ｉ）と、内筒（１１ｉ）の下端側から挿入された圧縮部材（１２ｐ）と、内筒（１１ｉ）の下端側から挿入され圧縮部材（１２ｐ）を押し上げる押し上げシャフト（１２ｓ）と、から構成され、
前記計量手段Ｂは、前記内筒シリンダー（１１ｉ）の上端側に配置され、中心に対して等角度間隔となる位置に粉末計量部として機能する計量孔が形成されるとともに、この計量孔内で計量された粉末薬剤を、前記粉末薬剤を圧縮させるために加えられた力を解除した後に、前記粉末計量部の側方に構成されている粉末取り出し部にまで移送する粉末移送機能を有し、
前記力伝達手段Ｃは、
前記下本体（１２）と、
前記下本体（１２）の底面から上方に向かって一体的に立設されたポスト（１２ｐｓ）と、
断面形状において中空四分円の一部が欠如され、残りの部分にこのポスト（１２ｐｓ）の外形状と略相補的な形状の内部空所を備えた押し上げナット（１２ｎ）と、
前記押し上げナット（１２ｎ）の外方に同芯上に配置された回動筒（１２ｒ）と、
前記中空四分円状の押し上げナット（１２ｎ）の一部が欠如された部分に配置される鋸歯歯車（１２ｇ）と、
前記鋸歯歯車（１２ｇ）に形成された中央貫通孔内に挿入され、その外壁全長に雄左ネジが形成されるとともに、この雄左ネジが前記押し上げナット（１２ｎ）の上端側の貫通孔（１２ｎｈ）内壁に形成された雌左ネジと係合された押し上げシャフト（１２ｓ）と、
前記鋸歯歯車（１２ｇ）と前記回動筒（１２ｒ）の内壁に形成された鋸歯縦溝（１２ａ）との間に構成されるラチェット機構と、から構成され、
前記粉末送出手段Ｄは、
前記上本体（１１）の側壁に形成された気体導入口（１１ｈ）と、
側壁に気体導入口（１１ａｈ）を有する前記包括シリンダー（１１ｇ）に収容され、前記気体導入口（１１ｈ）および前記気体導入口（１１ａｈ）を介して導入された気体を前記マウスピース（１１ｍ）に送出し得るスクリュー収容円筒（１１ａ）と、
前記スクリュー収容円筒（１１ａ）内に装着され、前記スクリュー収容円筒（１１ａ）に導入された気体に旋回を与える拡散用部材（１１ｓ）と、から構成され、
前記上本体（１１）に対して前記下本体（１２）を上方向から見て右方向に回動させたときに、
前記下本体（１２）に加えられた右方向の回転力が、この下本体（１２）を介してポスト（１２ｐｓ）に伝達され、これによりこのポスト（１２ｐｓ）が前記下本体（１２）と一体となって右方向に回転されるとともに、さらにポスト（１２ｐｓ）から前記押し上げナット（１２ｎ）に回転力が伝達され、これによりこの押し上げナット（１２ｎ）が前記下本体（１２）および前記ポスト（１２ｐｓ）と一体となって右方向に回転され、さらに押し上げナット（１２ｎ）が一体となって右方向に回転されるときに、前記鋸歯歯車（１２ｇ）および前記押し上げシャフト（１２ｓ）の連結体が前記外郭の中心軸を中心として右方向に公転され、
かつ、この連結体の右方向の公転時に、
前記下本体（１２）と前記ポスト（１２ｐｓ）と前記押し上げナット（１２ｎ）と前記鋸歯歯車（１２ｇ）と前記包括シリンダー（１１ｇ）と前記計量手段Ｂを構成する部材が、一体となって右方向に回転され、
さらに、前記連結体の右方向の公転時に、
前記鋸歯歯車（１２ｇ）および押し上げシャフト（１２ｓ）からなる前記連結体は、前記鋸歯歯車（１２ｇ）と前記回動筒（１２ｒ）の縦溝（１２ａ）との係合により連結体自身の左方向への回動が許容され、この左方向への回転の許容により、前記押し上げシャフト（１２ｓ）は、前記押し上げナット（１２ｎ）に対して突出する方向に上昇し、この上昇した押し上げシャフト（１２ｓ）は、前記内筒（１１ｉ）内の粉末薬剤に圧縮力を付与し、この粉末薬剤は、前記計量孔内において所定の密度に圧縮され、
この状態から前記下本体（１２）に加えられた右方向への回転力を解除し、しかる後、前記下本体（１２）に対して左方向への回転力を加える操作を行うことにより、前記計量手段Ｂが有する前記粉末移送機能により、前記計量孔で計量された所定量の粉末薬剤が、前記粉末計量部の側方に配置された粉末取り出し部にまで移送され、
さらに、前記粉末送出手段Ｄにおける前記気体導入孔（１１ｈ）から導入された気体が前記拡散用部材（１１ｓ）が装着された前記スクリュー収容円筒（１１ａ）を通過することによって生じる旋回流に伴って前記マウスピース（１１ｍ）の前記粉末送出口から外部へ、所定量の粉末薬剤が送出されるようにしたことを特徴とする吸入又は噴射投与キット。
【請求項７】
前記圧縮部材（１２ｐ）がピストン又はプランジャーであることを特徴とする請求項６に記載の吸入又は噴射投与キット。
【請求項８】
前記計量手段Ｂを構成する構成要素の一つは、前記包括シリンダー（１１ｇ）と嵌合して一体となって回動し、前記圧縮部材（１２ｐ）と対向する位置において、粉末薬剤を所定密度まで圧縮する際の圧縮押圧力を受け止める計量板押え（１１ｂ）であることを特徴とする請求項６または７に記載の吸入又は噴射投与キット。
【請求項９】
前記計量手段Ｂを構成する要素の一つは、圧縮された粉末薬剤の体積を画定する計量孔（１１ｖｈ）を有する計量板（１１ｖ）であり、この計量板（１１ｖ）の外周縁には、左回転禁止ラチェット（１１ｖｒ）が形成され、前記上本体（１１）に対して前記包括シリンダー（１１ｇ）を上から見て右方向に回動させたときに、この左回転禁止ラチェット（１１ｖｒ）は、前記包括シリンダー（１１ｇ）の拡径部（１１ｇｅ）内壁に設けられた左回転禁止ラチェット（１１ｇｅｒ）に係合して、これにより前記包括シリンダー（１１ｇ）と前記計量板（１１ｖ）とが一体となって右方向に回動することを特徴とする請求項６〜８のいずれかに記載の吸入又は噴射投与キット。
【請求項１０】
前記計量手段Ｂを構成する要素の一つは、計量板ラチェット（１１ｒ）であり、
当該計量板ラチェット（１１ｒ）の下面中心部には凹窩（１１ｒｐｃ）を有する円柱状の突起（１１ｒｐ）が設けられ、この凹窩（１１ｒｐｃ）は前記計量板（１１ｖ）の頂面中心から立ち上がる末広軸（１１ｖｘ）の大径部（１１ｖｘｂ）に嵌合し、これにより当該計量板ラチェット（１１ｒ）と前記計量板（１１ｖ）とが一体になって右方向へ回転し、かつ
当該計量板ラチェット（１１ｒ）の外周縁には、左回転禁止ラチェット（１１ｒｂ）が形成され、この左回転禁止ラチェット（１１ｒｂ）は、前記上本体（１１）の上端域に近い内壁面に設けられた左回転禁止ラチェット（１１ｘ）に係合して、これにより当該計量板ラチェット（１１ｒ）の上から見て左方向へ回転が禁止されることを特徴とする請求項６〜９のいずれかに記載の吸入又は噴射投与キット。
【請求項１１】
前記回動筒（１２ｒ）の内壁面の一部にその母線長の略全長に渡って前記鋸歯歯車（１２ｇ）と噛み合う前記鋸歯縦溝（１２ａ）が刻設されていることを特徴とする請求項６〜１０のいずれかに記載の吸入又は噴出投与キット。
【請求項１２】
前記鋸歯歯車（１２ｇ）および前記押し上げシャフト（１２ｓ）の上昇する方向への回転は、押し上げシャフト（１２ｓ）の外周に形成された雄左ネジと、前記押し上げナット（１２ｎ）の貫通孔（１２ｎｈ）内壁に形成された雌左ネジとの係合により許容され、下降する方向への回転は、前記押し上げナット（１２ｎ）から伸びた右回転禁止ラチェット（１２ｇｓ）により禁止されていることを特徴とする請求項６〜１１のいずれかに記載の吸入又は噴出投与キット。
【請求項１３】
前記内筒（１１ｉ）が、キットの使用回数又は前記内筒（１１ｉ）中に収容された粉末薬剤の残量を示す表示手段を備えていることを特徴とする請求項６〜１２のいずれかに記載の吸入又は噴出投与キット。
【請求項１４】
前記気体導入孔（１１ｈ）に圧送気体供給手段を連結したことを特徴とする請求項６〜１３のいずれかに記載の吸入又は噴出投与キット。
【発明の詳細な説明】
【０００１】
【技術の属する分野】
本発明は粉末を所定量まで圧縮して分取し、それを送り出し部へ移送する作業を繰返し得る容器並びにその応用として、所定量粉末薬剤を液体媒体を介せずに口腔内へ繰返し投与し得る吸入キットもしくはその他の体腔内例えば、鼻腔内へ繰返し投与し得る噴射投与キット又は体腔内以外の処置を要する下記の部位等へ繰返し投与し得る噴射投与キットに関する。
【０００２】
詳しくは、本発明は上記の能力に加えて、その使用時におけるキットの方向に制限を受けず、粉末薬剤を包含する粉末の塊状化に起因する気体流通路に閉塞等を生ずる虞が少なく、多数回繰り返して用い得る粉末の送り出し容器又は所定量粉末薬剤の繰返し投与可能な口腔内への吸入キットもしくは他の体腔内特に鼻腔内への噴射投与キット又は体腔内以外の湿疹、火傷、薬害もしくは負傷部位等の処置を要する部位へ繰返し投与し得る噴射投与キットに関する。
【０００３】
【従来の技術】
粉末薬剤を液体媒体に溶解させた溶液又は懸濁させた懸濁液等の液状で口腔内へ噴射するキットは既に市販されている。しかし、これらのキットには下記の様な各種の制約が依然として残っており、その解決が求められていた：
・各噴射回における供給量に大きなバラツキが必ず伴った
・吸入者が一定の使用姿勢で用いるという制約が伴った
・キットが粉末薬剤を直接に噴射するものではく、溶液として吸入する方式である処から、携帯に不便であった。
【０００４】
【発明が解決しようとする課題】
本発明は上記の従来のキットに伴っていた制約を解消して、下記の各種の特色を発揮する所定量の粉末の繰返し送り出し可能な容器並びに所定量の粉末薬剤の繰返し投与可能な口腔内への吸入キット、その他の体腔内例えば、鼻腔内への噴射投与キット及びその他処置を要する部位への噴射投与キットを提供することを目的とする。本発明の所定量の粉末の繰返し送り出し可能な容器並びに所定量の粉末薬剤の吸入キット及び噴射投与キットの特色：
◆粉末を高精度の所定量で送り出し部へ繰り返して供給し得る、
◆粉末薬剤を直接に口腔内へ吸入方式で、口腔以外の体腔内例えば、鼻腔内へ噴射方式で供給できることに加えて、体腔内以外の処置を要する部位例えば、湿疹、火傷、薬害もしくは負傷部位等へも繰返し投与し得る、
◆粉末状物質の毎回の送り出し量並びに投与量（吸入量及び噴射投与量）にバラツキを殆ど来さず、
◆容器からの粉末の送り出しの際又はキットからの粉末薬剤の吸入もしくは噴射投与の際の使用姿勢の何れにおいても制約を受けない。
【０００５】
【課題を解決するための手段】
本発明は上記の課題を解決すると共に、上掲の各種特色を備えた所定量の粉末を繰返して送り出し得る容器並びに所定量の粉末薬剤の口腔内への繰返し投与可能な吸入キット及びその他の体腔内例えば、鼻腔内への繰返し噴射投与可能なキット並びに体腔内以外の処置を要する部位に対しても噴射投与可能なキットを提供する為に、下記の「定量送り出し容器の基本的構成」、「定量送り出し容器の改良構成１」〜「定量送り出し容器の改良構成４」並びに下記の「吸入又は噴射投与キットの基本的構成」及び「吸入又は噴射投与キットの改良構成１」〜「吸入又は噴射投与キットの改良構成８」に規定された構成を必須の構成要件又は好適要件として備えていることを要する。
【０００６】
［定量送り出し容器の基本的構成］
直線的に移動することにより筒状部材に収容された粉末を所定密度まで圧縮する圧縮部材と、
前記圧縮部材の移動域の終端に構成された粉末計量部と前記圧縮部材の移動域の終端側方に構成された粉末送り出し部との間を往復移動可能に配置され、かつ前記圧縮部材と対向するように前記粉末計量部として機能する計量孔が形成された計量部材と、を備え、
前記筒状部材に収容された粉末の一部を前記計量部材の前記計量孔内に導入し、前記圧縮部材の移動により前記計量孔内で圧縮された所定量の粉末を前記計量部材の移動に伴って前記粉末計量部から前記粉末送り出し部に移送し、当該粉末送り出し部に移送された所定量の粉末を空とした後に、前記計量部材を原位置にまで復帰させて繰り返し動作を可能にしたことを特徴とする粉末の所定量繰り返し送り出し可能な容器。
【０００７】
［定量送り出し容器の改良構成１］
前記圧縮部材がピストン又はプランジャーであって、当該圧縮部材は前記計量部材に接近する方向にのみ移動可能であることを特徴とする［定量送り出し容器の基本的構成］に記載の粉末の所定量繰り返し送り出し可能な容器。
【０００８】
［定量送り出し容器の改良構成２］
前記計量部材が、前記圧縮部材の一回当たりの移動距離と略同一の板厚を有し、前記粉末を圧縮する押圧力を受け止める圧受け部材と協働することにより、所定量の粉末が分取されることを特徴とする［定量送り出し容器の基本的構成］及び［定量送り出し容器の改良構成１］に記載の粉末の所定量繰り返し送り出し可能な容器。
【０００９】
［定量送り出し容器の改良構成３］
前記筒状部材が、当該筒状部材に収容された粉末の送り出し回数又は粉末の残量を示す表示手段を備えていることを特徴とする［定量送り出し容器の基本的構成］並びに［定量送り出し容器の改良構成１］及び「定量送り出し容器の改良構成２」に記載の粉末の所定量繰り返し送り出し可能な容器。
【００１０】
［定量送り出し容器の改良構成４］
前記粉末送り出し部に気体導入孔が形成され、この気体導入孔に圧送気体供給手段を連結するとともに、当該粉末送り出し部における噴射部をノズル状に形成したことを特徴とする［定量送り出し容器の基本的構成］及び［定量送り出し容器の改良構成１］〜「定量送り出し容器の改良構成３」に記載の粉末の所定量繰り返し送り出し可能な容器。
【００１１】
［吸入又は噴射投与キットの基本的構成］
略筒状に形成された上本体（１１）と、前記上本体（１１）に対して回動自在に装着された有底筒状の下本体（１２）とにより外郭が構成されるとともに、前記上本体（１１）の上端部に粉末送出口を備えたマウスピース（１１ｍ）が装着されており、
前記上本体（１１）は、その側壁に上下方向に走る透視窓孔を備え、
前記マウスピース（１１ｍ）は、その内壁中段に開口面積の一部分を閉塞する障壁（１１ｍｂ）を備えると共にその下端域に残余の開口面積を略閉塞する障壁（１１ｍｃ）を備え、
前記外郭の内部には、
収容された粉末薬剤を所定密度まで圧縮する粉末圧縮手段Ａと、
前記粉末圧縮手段Ａにより圧縮状態にされた粉末薬剤から所定量の粉末薬剤を分取する計量手段Ｂと、
前記粉末を圧縮させるために加えられた外力を、前記粉末圧縮手段Ａに伝達させる力伝達手段Ｃと、
前記粉末圧縮手段Ａで圧縮された所定量の粉末薬剤を、気体の導入に伴って外方に送出する粉末送出手段Ｄと、が内蔵され、
前記粉末圧縮手段Ａは、包括シリンダー（１１ｇ）内に収容された内筒（１１ｉ）と、内筒（１１ｉ）の下端側から挿入された圧縮部材（１２ｐ）と、内筒（１１ｉ）の下端側から挿入され圧縮部材（１２ｐ）を押し上げる押し上げシャフト（１２ｓ）と、から構成され、
前記計量手段Ｂは、前記内筒シリンダー（１１ｉ）の上端側に配置され、中心に対して等角度間隔となる位置に粉末計量部として機能する計量孔が形成されるとともに、この計量孔内で計量された粉末薬剤を、前記粉末薬剤を圧縮させるために加えられた力を解除した後に、前記粉末計量部の側方に構成されている粉末取り出し部にまで移送する粉末移送機能を有し、
前記力伝達手段Ｃは、
前記下本体（１２）と、
前記下本体（１２）の底面から上方に向かって一体的に立設されたポスト（１２ｐｓ）と、
断面形状において中空四分円の一部が欠如され、残りの部分にこのポスト（１２ｐｓ）の外形状と略相補的な形状の内部空所を備えた押し上げナット（１２ｎ）と、
前記押し上げナット（１２ｎ）の外方に同芯上に配置された回動筒（１２ｒ）と、
前記中空四分円状の押し上げナット（１２ｎ）の一部が欠如された部分に配置される鋸歯歯車（１２ｇ）と、
前記鋸歯歯車（１２ｇ）に形成された中央貫通孔内に挿入され、その外壁全長に雄左ネジが形成されるとともに、この雄左ネジが前記押し上げナット（１２ｎ）の上端側の貫通孔（１２ｎｈ）内壁に形成された雌左ネジと係合された押し上げシャフト（１２ｓ）と、
前記鋸歯歯車（１２ｇ）と前記回動筒（１２ｒ）の内壁に形成された鋸歯縦溝（１２ａ）との間に構成されるラチェット機構と、から構成され、
前記粉末送出手段Ｄは、
前記上本体（１１）の側壁に形成された気体導入口（１１ｈ）と、
側壁に気体導入口（１１ａｈ）を有する前記包括シリンダー（１１ｇ）に収容され、前記気体導入口（１１ｈ）および前記気体導入口（１１ａｈ）を介して導入された気体を前記マウスピース（１１ｍ）に送出し得るスクリュー収容円筒（１１ａ）と、
前記スクリュー収容円筒（１１ａ）内に装着され、前記スクリュー収容円筒（１１ａ）に導入された気体に旋回を与える拡散用部材（１１ｓ）と、から構成され、
前記上本体（１１）に対して前記下本体（１２）を上方向から見て右方向に回動させたときに、
前記下本体（１２）に加えられた右方向の回転力が、この下本体（１２）を介してポスト（１２ｐｓ）に伝達され、これによりこのポスト（１２ｐｓ）が前記下本体（１２）と一体となって右方向に回転されるとともに、さらにポスト（１２ｐｓ）から前記押し上げナット（１２ｎ）に回転力が伝達され、これによりこの押し上げナット（１２ｎ）が前記下本体（１２）および前記ポスト（１２ｐｓ）と一体となって右方向に回転され、さらに押し上げナット（１２ｎ）が一体となって右方向に回転されるときに、前記鋸歯歯車（１２ｇ）および前記押し上げシャフト（１２ｓ）の連結体が前記外郭の中心軸を中心として右方向に公転され、
かつ、この連結体の右方向の公転時に、
前記下本体（１２）と前記ポスト（１２ｐｓ）と前記押し上げナット（１２ｎ）と前記鋸歯歯車（１２ｇ）と前記包括シリンダー（１１ｇ）と前記計量手段Ｂを構成する部材が、一体となって右方向に回転され、
さらに、前記連結体の右方向の公転時に、
前記鋸歯歯車（１２ｇ）および押し上げシャフト（１２ｓ）からなる前記連結体は、前記鋸歯歯車（１２ｇ）と前記回動筒（１２ｒ）の縦溝（１２ａ）との係合により連結体自身の左方向への回動が許容され、この左方向への回転の許容により、前記押し上げシャフト（１２ｓ）は、前記押し上げナット（１２ｎ）に対して突出する方向に上昇し、この上昇した押し上げシャフト（１２ｓ）は、前記内筒（１１ｉ）内の粉末薬剤に圧縮力を付与し、この粉末薬剤は、前記計量孔内において所定の密度に圧縮され、
この状態から前記下本体（１２）に加えられた右方向への回転力を解除し、しかる後、前記下本体（１２）に対して左方向への回転力を加える操作を行うことにより、前記計量手段Ｂが有する前記粉末移送機能により、前記計量孔で計量された所定量の粉末薬剤が、前記粉末計量部の側方に配置された粉末取り出し部にまで移送され、
さらに、前記粉末送出手段Ｄにおける前記気体導入孔（１１ｈ）から導入された気体が前記拡散用部材（１１ｓ）が装着された前記スクリュー収容円筒（１１ａ）を通過することによって生じる旋回流に伴って前記マウスピース（１１ｍ）の前記粉末送出口から外部へ、所定量の粉末薬剤が送出されるようにしたことを特徴とする吸入又は噴射投与キット。
【００１２】
［吸入又は噴射投与キットの改良構成１］
前記圧縮部材（１２ｐ）がピストン又はプランジャーであることを特徴とする［吸入又は噴射投与キットの基本的構成］に記載の吸入又は噴射投与キット。
【００１３】
［吸入又は噴射投与キットの改良構成２］
前記計量手段Ｂを構成する構成要素の一つは、前記包括シリンダー（１１ｇ）と嵌合して一体となって回動し、前記圧縮部材（１２ｐ）と対向する位置において、粉末薬剤を所定密度まで圧縮する際の圧縮押圧力を受け止める計量板押え（１１ｂ）であることを特徴とする［吸入又は噴射投与キットの基本的構成］及び［吸入又は噴射投与キットの改良構成１］に記載の吸入又は噴射投与キット。
【００１４】
［吸入又は噴射投与キットの改良構成３］
前記計量手段Ｂを構成する要素の一つは、圧縮された粉末薬剤の体積を画定する計量孔（１１ｖｈ）を有する計量板（１１ｖ）であり、この計量板（１１ｖ）の外周縁には、左回転禁止ラチェット（１１ｖｒ）が形成され、前記上本体（１１）に対して前記包括シリンダー（１１ｇ）を上から見て右方向に回動させたときに、この左回転禁止ラチェット（１１ｖｒ）は、前記包括シリンダー（１１ｇ）の拡径部（１１ｇｅ）内壁に設けられた左回転禁止ラチェット（１１ｇｅｒ）に係合して、これにより前記包括シリンダー（１１ｇ）と前記計量板（１１ｖ）とが一体となって右方向に回動することを特徴とする［吸入又は噴射投与キットの基本的構成］並びに［吸入又は噴射投与キットの改良構成１］及び［吸入又は噴射投与キットの改良構成２］に記載の吸入又は噴射投与キット。
【００１５】
［吸入又は噴射投与キットの改良構成４］
前記計量手段Ｂを構成する要素の一つは、計量板ラチェット（１１ｒ）であり、
当該計量板ラチェット（１１ｒ）の下面中心部には凹窩（１１ｒｐｃ）を有する円柱状の突起（１１ｒｐ）が設けられ、この凹窩（１１ｒｐｃ）は前記計量板（１１ｖ）の頂面中心から立ち上がる末広軸（１１ｖｘ）の大径部（１１ｖｘｂ）に嵌合し、これにより当該計量板ラチェット（１１ｒ）と前記計量板（１１ｖ）とが一体になって右方向へ回転し、かつ
当該計量板ラチェット（１１ｒ）の外周縁には、左回転禁止ラチェット（１１ｒｂ）が形成され、この左回転禁止ラチェット（１１ｒｂ）は、前記上本体（１１）の上端域に近い内壁面に設けられた左回転禁止ラチェット（１１ｘ）に係合して、これにより当該計量板ラチェット（１１ｒ）の上から見て左方向へ回転が禁止されることを特徴とする［吸入又は噴射投与キットの基本的構成］及び［吸入又は噴射投与キットの改良構成１］〜［吸入又は噴射投与キットの改良構成３］に記載の吸入又は噴射投与キット。
【００１６】
［吸入又は噴射投与キットの改良構成５］
前記回動筒（１２ｒ）の内壁面の一部にその母線長の略全長に渡って前記鋸歯歯車（１２ｇ）と噛み合う前記鋸歯縦溝（１２ａ）が刻設されていることを特徴とする［吸入又は噴射投与キットの基本的構成］及び［吸入又は噴射投与キットの改良構成１］〜［吸入又は噴射投与キットの改良構成４］に記載の吸入又は噴出投与キット。
【００１７】
［吸入又は噴射投与キットの改良構成６］
前記鋸歯歯車（１２ｇ）および前記押し上げシャフト（１２ｓ）の上昇する方向への回転は、押し上げシャフト（１２ｓ）の外周に形成された雄左ネジと、前記押し上げナット（１２ｎ）の貫通孔（１２ｎｈ）内壁に形成された雌左ネジとの係合により許容され、下降する方向への回転は、前記押し上げナット（１２ｎ）から伸びた右回転禁止ラチェット（１２ｇｓ）により禁止されていることを特徴とする［吸入又は噴射投与キットの基本的構成］及び［吸入又は噴射投与キットの改良構成１］〜［吸入又は噴射投与キットの改良構成５］に記載の吸入又は噴出投与キット。
【００１８】
［吸入又は噴射投与キットの改良構成７］
前記内筒（１１ｉ）が、キットの使用回数又は前記内筒（１１ｉ）中に収容された粉末薬剤の残量を示す表示手段を備えていることを特徴とする［吸入又は噴射投与キットの基本的構成］及び［吸入又は噴射投与キットの改良構成１］〜［吸入又は噴射投与キットの改良構成６］に記載の吸入又は噴出投与キット。
【００１９】
［吸入又は噴射投与キットの改良構成８］
前記気体導入孔（１１ｈ）に圧送気体供給手段を連結したことを特徴とする［吸入又は噴射投与キットの基本的構成］及び［吸入又は噴射投与キットの改良構成１］〜［吸入又は噴射投与キットの改良構成７］に記載の吸入又は噴出投与キット。
【００２０】
【発明の実施の形態】
本発明の粉末物質の定量を分取する手段は図１に最も簡素な形状として示されている。本発明の図面において「上下左右」は説明の便宜上の表現である。更に、本願明細書ではマウスピースの位置及び噴射ノズルの位置する側を「上方」と称することがある。
【００２１】
また、最も簡素で原理的であり、各部又は各部材を原則として連動関係無しに作動させる様に編成された機構として所定量の粉末を送り出し部へ繰り返して移送し得る容器の例に加えて、最も有用な例として所定量の粉末薬剤を繰り返して口腔内へ投与し得る吸入キット並びにその他の体腔内例えば鼻腔内へ噴射及びその他処置を要する部位へ噴射する噴射投与キットについて以下に説明する。
【００２２】
図１の(a)は口腔内への所定量の粉末薬剤の吸入キットとして用い得るが、最も簡素で原理的な部材及び部品で編成された所定量の粉末の繰返し送り出し可能な容器である。勿論、自力で吸入する能力を保有しない使用者の為には図１の(b)における様に圧送用の加圧気体を収容した圧送気体収容部材(Ｂb)をその気体導入孔(Ａh)に付設して「吸入キット」を「噴射投与キット」に変更することもできる。その構成は概略的には上端部に位置する吸入部(Ａm)とその下端から下方へ向けて伸びる基幹部(Ａk)とであり、基幹部(Ａk)の片側にには筒状部材(Ａc)が形成されると共に、筒状部材(Ａc)の下端に続いて下方進行禁止ラチェット部(Ａr)が形成されている。
【００２３】
筒状部材(Ａc)内には下方から圧縮部材(Ａp)が装入されて、筒状部材(Ａc)内に収容された粉末薬剤を圧縮する。その圧縮力を受け止めるものは吸入部(Ａm)の内壁から張り出した仕切壁(Ａmw)の下面である。仕切壁(Ａmw)の下面と筒状部材(Ａc)の上端との間に計量部材(Ａv)が嵌装されており、左右に滑動可能であると共に、可能な限り両部に密接した状態で嵌装されている。
【００２４】
筒状部材(Ａc)内に下方から挿入されている圧縮部材(Ａp)はその下面から下方へ伸びる圧縮部材(Ａp)を押し上げる棒状部材(Ａs)で上方へ押し動かされて圧縮作用を果たす。しかし、棒状部材(Ａs)は定量的に圧縮部材(Ａp)を上方へ動かすが下方へ戻ってはならない。それを担保する為には棒状部材(Ａs)の下端域が下方進行禁止ラチェット部(Ａr)に係合する為の１個以上の係合歯(Ａsr)を備えている。
【００２５】
図１の(a)において、吸入部(Ａm)は所謂マウスピースであって、その開口(Ａmi)は断面積の約半分は仕切壁(Ａmw)で閉塞され、その反対側に口腔内への輸送用気体の流通孔(Ａmd)が穿設されている。この流通孔(Ａmd)の形状はそれと平行に設けられている筒状部材(Ａc)であって粉末薬剤を収容すると共に、圧縮にも寄与する筒状部材(Ａc)の上端の開口の形状と一致することが重要である。
【００２６】
図１の(a)において計量部材(Ａv)は細長い板状の部材であって、その略中央部に透孔(Ａvh)が穿孔されている。この計量部材(Ａv)は上記のマウスピース(Ａm)の基底部と基幹部(Ａk)の上端との接続部に穿設された挿通孔内を左右に滑動する。計量部材(Ａv)に穿設された透孔(Ａvh)は計量孔として働くもので、筒状部材(Ａc)内に収容された粉末薬剤が圧縮部材(Ａp)によって計量孔(Ａvh)中に押し込まれると、それが所定量となる。
【００２７】
この時点で計量部材(Ａv)の末端に設けられたヘッド(Ａve)が図において右側へ押されることによってヘッド(Ａve)の根元まで挿通孔内へ押し込まれると、その計量孔(Ａvh)が右方へ移動して輸送用気体の流通孔(Ａmd)の位置に一致する様に計量孔(Ａvh)の位置及び計量部材(Ａv)の長さが設定されることが重要である。
【００２８】
その結果、その計量孔(Ａvh)内に圧縮充填されていた粉末薬剤が気体流通孔(Ａmd)内に移動する。次に使用者がマウスピース(Ａm：吸入部における開口)を自己の口に入れて強く息を吸えば、気体導入孔(Ａh)から勢い良く吸い込まれた空気が粉末薬剤を吹き上げて輸送しながらマウスピース口(Ａmi)経由で口内へ送り込む。
【００２９】
この為には、気体導入孔(Ａh)の向きと気体流通孔(Ａmd)の最奥部との形状とを重質の粉末薬剤をも十分に吹き上げ得る様に選択することが重要である。図１では気体導入孔(Ａh)が比較的小径に形成されると共に、気体流通孔(Ａmd)の最奥部に向けられていると共に、該最奥部が凹曲面に成形されている。
【００３０】
圧縮部材(Ａp)の定量圧縮作用を担保する為には、圧縮部材(Ａp)の下方から下方へ向けて伸びる棒状部材(Ａs)の下端域に刻設された係合歯とその逆戻りを禁止しながら所定距離づつ上方へ進める為の係止手段、図１では下方移動禁止ラチェット(Ａr)とが協働することが必要である。
【００３１】
勿論、この下方移動を禁止しながら所定距離づつ上方へ移動させる為の係止手段はラチェットとそれに係合する係合歯との組合せに限らず他の係止手段であっても良く、例えば基幹部に所定間隔毎に穿設された小孔と該小孔に挿通させる為に棒状部材(Ａs)の下端域に植設された係止ピンとの組合せ等でも差支え無い。
【００３２】
図１の(b)に示された容器(Ｂ)は噴射ノズル(Ｂj)及び圧送気体収容部材(Ｂb) が図１の(a)に示された容器(Ａ)とは異なっている。図１の(b)に示された容器(Ｂ)は粉末薬剤の口腔以外の体腔内例えば、鼻腔内への噴射投与キットとして用い得るものであって、各部に付与された符号の大部分は図１の(a)における符号の最初を「Ａ」から「Ｂ」へ差し替えればその儘図１の(a)に対応する。その際には、図１の(a)には存在しない部分（部材）だけに「Ｂ」で始まる別異の符号を付与すれば足りる。
【００３３】
図１の(b)に示された容器(Ｂ)は上述の様に口腔以外の体腔例えば、「鼻」を意図したものである。従って、その使用に当たっては粉末薬剤の噴射ノズル(Ｂj)を鼻腔内へ挿入し、ヘッド(Ｂve)を右方へ押して計量板(Ｂv)の計量孔(Ｂvh)の位置を噴射ノズル(Ｂj)内の気体流通路(Ｂji)の位置に一致させ、圧送気体送り出し部材(Ｂb)の頚部に設けられたバルブ(不図示)を開いて加圧気体を気体導入孔(Ｂh)から気体流通路(Ｂji)へ送り込む。
【００３４】
この粉末薬剤の噴射キット(Ｂ)が使用者の立位で下方から噴射投与される形態で用いられる場合には特に問題は生じ難い。処が、使用者が横臥位で用いる場合には計量部材(Ｂv)が移動した時点で直ちに加圧気体を導入することが望ましい。しかし、これは意外に困難である。その困難を解消する為には、計量部材(Ｂv)の移動とバルブの開放とを連動させる様にキットを構成することが好ましい。その具体的構成としては、計量部材(Ｂv)のヘッド(Ｂve)とは反対側の末端が突出するから、これにバルブに付設した梃子を押し動かさせる連動形態でも十分である。
【００３５】
＜＜最も実用的で高信頼性を備えた粉末薬剤の投与キット＞＞
本発明の粉末薬剤吸入又は噴射投与キット(１)（「本発明のキット」と略称することがある）の好適態様について以下に図面に基づいて具体的に説明する。図２は本発明の吸入又は噴射投与キットの状態を示し、図２の(a)は原寸外観、図２の(b)は該キット(１)のオーバーキャップ(Ｃ)を取り外した状態の原寸外観及び図２の(c)は該キットの縦断面を示す。
【００３６】
詳細な構成は図３に示された図２の(c)の拡大縦断面図に基づいて説明する。図３においては、本発明のキット(１)が細い末端を上方へ向けた状態で図示されており、図３は本発明のキット(１)の拡大縦断面図ではあるが、長軸を含む単一の平面による縦断面図ではなく、図３の右半分は紙面に含まれる平面による縦断面図、左半分は該平面に対して６０度起き上がった別異の平面による縦断面図である。
【００３７】
なお、図３だけでは構造の細部が解り難い場合には、図４に示された横断面図をも参照することがある。即ち、図４の各図［(a)〜(d)］は本発明のキットを処々で切断（輪切り）にした横断面図である。上記の左半分の断面図を呈する切断平面が右半分とは異なる平面である理由は逆転が禁止された鋸歯歯車(１２g)の軸−−それは押し上げシャフト(１２s)の軸と共通−−の縦断面を示すという目的にある。
【００３８】
＜＜オーバーキャップ(Ｃ)＞＞
再び、図３において(Ｃ)はオーバーキャップである。本発明のキット(１)の上本体(１１)を保護すると共に汚染等に対しても上本体(１１)を隔離する機能を果たす。オーバーキャップ(Ｃ)の下端域内壁には本発明のキット(１)の下本体(１２)の上端域外壁の係合手段と係合する手段が設けられている。係合手段として最も通常的なものは雌ネジである。しかし、係合手段は別にネジに限定されず、他の手段例えば、バイヨネットマウントでも差支えは無い。以下はオーバーキャップ(Ｃ)を取り外した場合を説明するものである。
【００３９】
＜＜マウスピース(１１m)＞＞
マウスピース(１１m)は本発明のキットの最上端に位置し、円筒状であってその外壁が通常は上方へ向けて稍細く作成されている。その先細形状の意義はマウスピース(１１m)が吸入者の口に挿入され為の便宜から来る。その内壁(１１mi)中段から障壁(１１mb)が略半径の長さまで張り出している。
【００４０】
障壁(１１mb)の機能はキット内部で計量されて噴射待ちの粉末薬剤がキットの右側を下にした倒立状態で使用される前に無為に崩れ出る事態及びそれに続く吸入時に粉末薬剤が気体に浮遊せずに急激に吐出する事態を防止することにある。
【００４１】
マウスピース(１１m)の下端域は本発明のキット(１)の上本体(１１)上端域に内嵌されている。両部材を係止させる手段は図示の螺合に限らない。
＜＜上本体(１１)＞＞
上本体(１１)は円筒であって、その上端域外壁が通常は先細に作成されていると共に、その下段右側壁に気体導入孔(１１h)が設けられている。気体導入孔(１１h)の機能は吸入用の輸送気体の導入口を提供することにある。また、上本体(１１)の左側壁は母線に平行に長く切り欠かれていることが図示されているが、その機能は本発明のキット(１)内部に組み込まれた内筒(１１i)内に本発明のキット(１)の使用回数又は内筒(１１i)の内部に収容された粉末薬剤の残量をキット外部から透視可能にすることにある。本発明のキット(１)の使用回数又は収容された粉末薬剤の残量をキット外部から検知可能にする手段としては、上記の図示された例に限らず別の手段であってもよい。以下に上本体(１１)内に収容された各種部材について説明する。
【００４２】
＜＜包括シリンダー(１１g)＞＞
包括シリンダー(１１g)は上本体(１１)の直ぐ内側に装着された円筒であってその上端域に拡径部(１１ge)を備え、拡径部(１１ge)の上縁で計量板押さえ(１１b)の下面を支承すると共に拡径部(１１ge)にはその上縁から切欠き(１１gc)を通常は４個備えている。この切欠き(１１gc)は後記の計量板押さえ(１１b)の鍔(１１bc)と嵌合する。更に拡径部(１１ge)内壁には数個の左回転禁止ラチェット(１１ger)を備えている。左回転禁止ラチェット(１１ger)は後記の計量板(１１v)の周縁に設けられた左回転禁止ラチェット(１１vr)と係合してその左回転を禁止する。
【００４３】
包括シリンダー(１１g)はその下端にも切欠き(１１gc)を（本発明の例では幅４５度で４個）備え、それによって後記の押し上げナット(１２n)の拡径部(１２ne)外壁から張り出した鍔(１２nf)に設けられた切欠き(１２nfc)と嵌合して一体として回動する。
【００４４】
＜＜計量板ラチェット(１１r)、計量板押さえ(１１b)、計量板(１１v)＞＞計量板ラチェット(１１r)は円板でその外周に左回転禁止ラチェット(１１rb)を複数個通常は３個備えると共に２個以上の透孔(１１rh)を備えている。透孔(１１rh)の個数及び位置は後記の計量板(１１v)に設けられた計量孔(１１vh)の個数及び位置と一致する。計量板ラチェット(１１r)は上本体(１１)内部の大径部上端に装着されている。計量板ラチェット(１１r)の機能はそれと同軸上に位置する後記の計量板(１１v)を伴って右回転させることにある。その目的で上記の計量板ラチェット(１１r)の下面中心部には円柱状の突起(１１rp)が設けられ、その内部に例えば３角形の凹窩(１１rpc)が設けられている。凹窩(１１rpc)の形状は４角形でもよいが、該部へ収容される棒状体の回転を禁止する為には５角形以上は避けることが好ましい。
【００４５】
計量板押さえ(１１b)は上記の計量板ラチェット(１１r)の下面に接して設けられ、円板であってその周縁に左回転禁止ラチェット(１１bb)を備えることに加えて、その上面周縁から外側へ張り出すと共に上方へも盛り上がった大径の鍔(１１bf)を備えている。
【００４６】
鍔(１１bf)の下面からその厚さの通常約１／２以下の切欠きが通常は複数個、図示の態様では４個設けられている。更にその円板域には中心部に小径の透孔(１１bhs)及びそれと同一半径上の外側に大径の円形透孔(１１bhb)が穿設されている。円形透孔(１１bhb)の直径及び位置は上記の計量板ラチェット(１１r)に穿設された透孔(１１rh)のそれらと同一とする。
【００４７】
小径透孔(１１bhs)及びそれと同一半径上の外側に穿設された大径の円形透孔(１１bhb)との間は連通されており、連通部の幅は小径透孔(１１bhs)と同一で十分である。この連通部の機能は計量板押さえ(１１b)の下面に接して位置するべき計量板(１１v)の上面から伸びる末広軸(１１vx)の大径部(１１vxb)を貫通させると共にその小径部(１１vxs)を小径の透孔(１１bbhs)へ移動させて支承することにある。
【００４８】
計量板(１１v)は円板で、それを貫通して計量孔(１１vh)が通常は３個穿孔されていると共にその頂面中心から立上がる末広軸(１１vx)を備えている。頂面中心から立上がる末広軸(１１vx)の大径部(１１vxb)は例えば三角形断面であって、計量板ラチェット(１１r)の下面から伸びる円柱突起(１１rp)の中心に穿設された凹窩(１１rpc)に嵌合する。従って、計量板(１１v)は上記の計量板ラチェット(１１r)と一体になって右へ１２０度づつ間欠的に回転する。また、末広軸(１１vx)の小径部(１１vxs)は円形断面であって計量板押さえ(１１b)の小径透孔(１１bhs)に収容される。
【００４９】
計量板(１１v)はその周縁に左回転禁止ラチェット(１１vr)を備え、左回転禁止ラチェット(１１vr)は包括シリンダー(１１g)の拡径部(１１ge)内壁に設けられた左回転禁止ラチェット(１１ger)と係合すると共に包括シリンダー(１１g)から回動力を与えられて、右へ１２０度づつ回転する。
【００５０】
計量板(１１v)の機能は内筒(１１i)内に収容された粉末薬剤を計量することにある。即ち、内筒(１１i)内に嵌装されているピストン(１２p)が粉末薬剤を計量板(１１v)の計量孔(１１vh)内に圧縮装填する。計量板(１１v)に穿設された計量孔(１１vh)が通常は３個であること及びそれらの相互位置は図４の(b)及び図４の(c)に示されている。
【００５１】
ここで、図４の(a)は本発明のキット(１)を上記の計量板(１１v)を横断する切断線Ａ−Ａで切断して現れる形状を矢印方向へ向かって見上げた状態であり、図４の(b)は本発明のキット(１)を上記の気体導入孔(１１h)を横断する切断線Ｂ−Ｂで切断して現れる形状を矢印方向へ向かって見上げた状態である。
【００５２】
尤も、粉末薬剤の計量は計量板(１１v)の裏側（上面）に密接した計量板押さえ(１１b)との共同作業である。即ち、計量板押さえ(１１b)が計量板(１１v)の裏側から粉末薬剤を堰留めてピストン(１２p)による押圧力を効果的に粉末薬剤に及ぼし得る様にする機能を果たす。
【００５３】
＜＜内筒(１１i)＞＞
内筒(１１i)は筒状の部材でその内径はその全長において同一であって前記の計量孔(１１vh)と同一である。内筒(１１i)は上縁で計量板(１１v)の下面に密接すると共に計量板(１１v)の下面に密接し、その計量孔(１１vh)に正対する。その機能は内部に粉末薬剤を収容することにある。
【００５４】
内筒(１１i)の下側からはピストン(１２p)が挿入されている。ピストン(１２p)の機能は粉末薬剤を所定量（所定距離）だけ押し上げることにある。しかし、ピストン(１２p)は独自に上昇し得る訳ではなく、その内部に下流側から挿入された押し上げシャフト(１２s)によって押し上げられる。とはいえ、この押し上げシャフト(１２s)も後述の機構で押し上げられるものである。
【００５５】
＜＜スクリュー収容円筒(１１a)＞＞
図３では、上記の内筒(１１i)に平行な円筒であってスクリュー収容円筒(１１a)が見受けられる。スクリュー収容円筒(１１a)の機能は気体導入孔(１１h)から導入された輸送気体を粉末薬剤と混合してマウスピース(１１m)から噴出させる為に輸送する気体流通路でもある。その為に、スクリュー収容円筒(１１a)の下段右側で気体導入孔(１１h)と対応位置に開口(１１ah)を備えている。
【００５６】
このスクリュー収容円筒(１１a)内には固定スクリュー(１１s)が装着されている。固定スクリュー(１１s)の機能は気流に旋回を与えて粉末薬剤を均一に浮遊させることにある。従って、固定スクリュー(１１s)自体は回転しない。以上が本発明のキット(１)の上本体(１１)に収容された必須部材を略尽くしている。そこで、以後は本発明のキット(１)の下本体(１２)及びその内部に装着された部材について説明する。
【００５７】
＜＜下本体(１２)＞＞
図３によれば、下本体(１２)は本発明のキット(１)の部材であって有底円筒形に作成されている。その上端域外壁に雄ネジが刻設されていてオーバーキャップ(Ｃ)の下端域内壁の雌ネジと係合していることは上述の通りである。下本体(１２)の機能はその内部に回動筒(１２r)及び押し上げナット(１２n)を収容し、押し上げナット(１２n)をその底板内壁から立上がるポスト(１２ps)によって直接に回動させることにある。ポスト(１２ps)は押し上げナット(１２n)内部に圧入嵌着されている。
【００５８】
＜＜回動筒(１２r)＞＞
下本体(１２)内部には先ず、その内壁に近接して回動筒(１２r)が回動可能に装着されている。回動筒(１２r)は上端域に拡径部(１２re)を備えると共に拡径部(１２re)の外壁中段に鍔(１２rf)を突設させている。
【００５９】
この鍔(１２rf)の機能はその数カ所、本発明の例では４ヶ所の切欠き(１２rfc)を備え、その幅は４５度であって上本体(１１)の下端の対応箇所に設けられた切欠き(１１fc)と緊密に嵌合して上本体(１１)と一体として回動することにある。
【００６０】
更に、鍔(１２rf)よりも上端に近い外壁にアンダーカット(１２u)を突設させている。アンダーカット(１２u)の機能は上本体(１１)の下端域内壁に設けられた溝又は凹窩(１１c)と係合することによって上本体(１１)からの不時の脱離を阻止する恐れを一層少なくすることにある。
【００６１】
回動筒(１２r)の拡径部(１２re)以外の外壁には数カ所に鍔(１２rf)が設けられて、それらの周縁が下本体(１２)の内壁に略接しながら回動容易な状態を実現している。鍔(１２rf)の機能は摩擦低減にある。即ち、回動筒(１２r)の外壁全面が下本体(１２)の内壁に当接して回転する際に生ずる大き過ぎる摩擦抵抗を大幅に低減している。
【００６２】
＜＜押し上げシャフト(１２s)＞＞
回動筒(１２r)の内部には、先ず押し上げシャフト(１２s)が装着されている。押し上げシャフト(１２s)の機能は左回転しながら上昇してピストン(１２p)を押し上げることにある。即ち、回動筒(１２r)は図４の(d)に示された様に回転しながら、その内壁に設けられた鋸歯縦溝(１２a)（ラチェット突条）から回転力を鋸歯歯車(１２g)に伝えてそれを回転させる。
【００６３】
その寄与によって、押し上げシャフト(１２s)は自身の外壁に刻設された雄左ネジと押し上げナット(１２n)の貫通孔(１２nh)内壁に刻設された雌左ネジとを係合させることによって、上昇への推進力を得る。ここで、上記の図４の(d)は本発明のキット(１)の下本体(１２)をその底板に最も近接した切断線Ｄ−Ｄによって切断した断面を上方へ向かって見上げた際に現れる断面である。
【００６４】
＜＜押し上げナット(１２n)＞＞
図４の(c)によれば、押し上げナット(１２n)の上端域は略円筒形の外郭とその外郭の内壁から突設する部分とで構成されている。この突設部分には同心の二重丸が見受けられるが、その中心の丸印は図３に示された上記の押し上げシャフト(１２s)の外壁に刻設されたネジの谷円を示し、その外側の丸印は押し上げシャフト(１２s)の外壁に刻設されたネジの山円を示す。図４の(c)は本発明のキット(１)の下本体(１２)をその中段で切断線Ｃ−Ｃによって切断した断面を上方へ向かって見上げた際に現れる断面である。断面図４の(c)には押し上げナット(１２n)の断面も含まれている。
【００６５】
図４の(d)によれば押し上げナット(１２n)の拡径部(１２ne)よりも下部は複雑な形状に作成されている。即ち、その断面形状において中空半円形の右半分部分と中空四分円のとの結合からなる。これは実際には円筒の１／４周に相当する部分を切除した鋸歯縦溝(１２a)つき管状体である。その鋸歯縦溝(１２a)部分に鋸歯歯車(１２g)及びその右回転を禁止する右回転禁止ラチェット(１２gs)が係合した状態で押し上げシャフト(１２s)が収納されている。
【００６６】
なお、この鋸歯歯車(１２g)の機能は上述の様に回動筒(１２r)の右回動による駆動力を受けながら左回転することによって、回動筒(１２r)の内壁を上昇することにある。即ち、回動筒(１２r)の内壁に刻設された鋸歯縦溝(１２a)から左向きの回転力を受ける。他方、中空半円断面の管状部分(１２nr)内には下本体(１２)の内壁底面から立上がるポスト(１２ps)が下方から嵌着されている。ポスト(１２ps)の機能は押し上げナット(１２n)の自由回転を阻止して回動筒(１２r)と一体になってそれを回動させると共に、下本体(１２)が離脱しない様に固定することにある。
【００６７】
＜＜キットを形成する材料＞＞
平均的に、本発明のキットを構成する部材が薬剤に直接に接触する場合及び使用者が手指で操作する場合には、その材質はポリオレフィン結晶性重合体が厚生省基準で要求される。しかし、それ以外の場合にはこの基準に限定される必然性が失われて、成形性、外観その他の点で最適の材質を用い得る筈である。
【００６８】
次に、吸入用等の薬剤を用いる場合について本発明の多重筒機構を形成する材質を説明する。材質としてポリオレフィン結晶性重合体、中でもポリプロピレン結晶性重合体が好ましい部材は下掲の通りである：
◆オーバーキャップ(Ｃ)、マウスピース(１１m)、上本体(１１)、計量板押さえ(１１b)、計量板(１１v)、拡散スクリュー、スクリュー収容円筒(１１a)、包括シリンダー(１１g)、内筒(１１i)、圧縮部材特にピストン(１２p)及び下本体(１２)に加えて、例外的ながら回動筒(１２r)；
また、成形性、外観その他の点で最適の材質で形成され得る部材は下掲の通りである：
◆計量板ラチェット(１１r)、押し上げナット(１２n)、鋸歯歯車(１２g)及び押し上げシャフト(１２s)。
【００６９】
【作用】
本発明の図１に示された容器(Ａ)及び容器(Ｂ)においては各部材間又は各部品間には連動関係が殆ど存在しないことから、ここでは説明を省略する。
【００７０】
本発明の図３に示された吸入又は噴射投与キット(１)が用いられる場合の各部材相互の関係を説明すれば次の通りである。この時点ではオーバーキャップ(Ｃ)は取り外されていることを前提とする：
(１)下本体(１２)を左に１２０度回動させるとその底板内面から立上がったポスト(１２ps)が押し上げナット(１２n)をその中心軸の廻りに左回転させる。その際には鋸歯歯車(１２g)は右回転できない。その理由はそれが押し上げナット(１２n)から伸びた右回転禁止ラチェット(１２gs)によって右回転を阻止されていることに求められる。
【００７１】
従って、鋸歯歯車(１２g)は右回転せずに回動筒(１２r)の内壁面に刻設された鋸歯縦溝(１２a)を倒しながら左方向へ滑って行き、最終的には鋸歯縦溝(１２a)の左端に到達する。この鋸歯縦溝(１２a)は弾性に富む材質で形成されているからである。
【００７２】
(２)下本体(１２)を右に１２０度回動させると押し上げナット(１２n)の下段に嵌着されたポスト(１２ps)が押し上げナット(１２n)をその中心軸の廻りに右回転させて原位置へ戻る。その際には鋸歯歯車(１２g)が鋸歯縦溝(１２a)と噛み合いながら左回転して、回動筒(１２r)内壁を上昇しながら鋸歯縦溝(１２a)の右端へ復帰する。
【００７３】
その左回転の際には押し上げシャフト(１２s)も左回転して押し上げナット(１２n)の貫通孔内壁の雌左ネジと係合しながら上昇力を得る。その結果として、ピストン(１２p)を所定高さだけ押し上げ、内筒(１１i)中に収容された粉末（薬剤）が計量板(１１v)及びその裏側の計量板押さえ(１１b)の共働作用によって圧縮される。
【００７４】
(３)上本体(１１)の上端域に近い内壁面に設けられた１個以上の左回転禁止ラチェットはそこに装着される計量板ラチェット(１１r)の周面に設けられた１個以上の左回転禁止ラチェットに係合して計量板ラチェット(１１r)の左回転を禁止する。
【００７５】
他方、上本体(１１)の下縁に設けられた１個以上の切欠き（本発明の例では４個で幅４５度）は回動筒(１２r)の拡径部外壁に設けられた鍔(１２rf)の下縁対応箇所に設けられた切欠き(１１bc)と緊密に嵌合して、回動筒(１２r)と一体になって回動する。
【００７６】
(４)包括シリンダー(１１g)の拡径部上縁に設けられた１個以上の切欠き（本発明の例では４個で幅４５度）は計量板押さえ(１１b)の鍔部下縁対応箇所に設けられた切欠き(１１bc)と緊密に嵌合して、計量板押さえ(１１b)と一体になって回動する。他方、包括シリンダー(１１g)の下縁に設けられた１個以上の切欠き（本発明の例では４個で幅４５度）は押し上げナット(１２n)の鍔(１２nf)の対応箇所に設けられた１個以上の切欠き（本発明の例では４個で幅４５度）と緊密に嵌合して押し上げナット(１２n)と一体になって回動する。
【００７７】
【発明の効果】
本発明の最も簡素な所定量粉末の繰返し送り出し可能な容器は粉末薬剤にも適用可能である。そこで、その効果説明に代えて、以下に本発明の粉末薬剤の吸入又は噴射投与キットが下記の種々の効果を奏することを説明する：
(１)複合機構によれば、粉末を圧縮計量によって分取して毎回所定量の粉末を次工程へ移送することができる
(２)キットによれば、粉末薬剤を圧縮計量によって分画して毎回所定量の粉末薬剤を吸入者へ供給できる
(３)携帯容易なキットから簡単な操作によって毎回所定量の粉末薬剤を吸入者へ供給できる。このキットによる供給可能回数は現在の仕様では約６０回に達する。更に多数回の供給も僅かな仕様変更によって容易に実現できる。
(４)その気体導入孔に圧送気体収容部材の供給口を接続すれば、容易に噴射投与キットへ変更可能である。
【図面の簡単な説明】
【図１】図１は本発明の吸入又は噴射投与キット(Ａ)及び噴射供給キット(Ｂ)の模式的縦断面図であり、図１の(a)は本発明の吸入又は噴射投与キット(Ａ)の模式的縦断面図であり、図１の(b)は本発明の噴射供給キット(Ｂ)の模式的縦断面図である。
【図２】図２は本発明の吸入又は噴射投与キット(１)の状態を示し、図２の(a)は原寸外観、図２の(b)は該キット(１)のオーバーキャップを取り外し状態の原寸外観及び図２の(c)は該キットの縦断面を示す。
【図３】図３は本発明のキット(１)の縦断面図ではあるが、軸を含む単一の平面による縦断面図ではなく、図３の右半分は紙面に含まれる平面による縦断面図、左半分は該平面に対して６０度起き上がった別異の平面による縦断面図である。
【図４】図４は本発明のキットを処々で切断（輪切り）にした横断面図である。図４の(a)は本発明のキットをその計量板の位置で切断線Ａ−Ａで切断して現れる面を矢印方向へ見上げた断面図、図４の(b)は本発明のキットをその期待導入孔の位置で切断線Ｂ−Ｂで切断して現れる面を矢印方向へ見上げた断面図、図４の(c)は本発明のキットをその押し上げナットの位置で切断線Ｃ−Ｃで切断して現れる面を矢印方向へ見上げた断面図。図４の(d)は本発明のキットをその底面の位置で切断線Ｄ−Ｄで切断して現れる面を矢印方向へ見上げた断面図である。
【符号の説明】
１  本発明の粉末吸入又は噴射投与キット全体
１１  本発明の粉末吸入又は噴射投与キットの上本体
１２  本発明の粉末吸入又は噴射投与キットの下本体
１１a  本発明の粉末吸入又は噴射投与キットのスクリュー収容円筒
１１b  本発明の粉末吸入又は噴射投与キットの計量板押さえ
１１g  本発明の粉末吸入又は噴射投与キット包括シリンダー
１１h  本発明の粉末吸入又は噴射投与キット側壁の気体導入孔
１１i  本発明の粉末吸入又は噴射投与キットの内筒
１１m  本発明の粉末吸入又は噴射投与キットのマウスピース
１１r  本発明の粉末吸入又は噴射投与キットの計量板ラチェット
１１s  本発明の粉末吸入又は噴射投与キットの固定スクリュー
１１v  本発明の粉末吸入又は噴射投与キットの計量板
１２r  本発明の粉末吸入又は噴射投与キットの回動筒
１２n  本発明の粉末吸入又は噴射投与キットの押し上げナット
１２s  本発明の粉末吸入又は噴射投与キットの押し上げシャフト
１２g  本発明の粉末吸入又は噴射投与キットの鋸歯歯車
１２p  本発明の粉末吸入又は噴射投与キットの圧縮用ピストン
１１ah  本発明の粉末吸入又は噴射投与キットの包括シリンダー側壁の気体導入孔
１１bb  計量板押さえの周縁に設けられた左回転禁止ラチェット
１１bc  計量板押さえの鍔
１１bf  計量板押さえの上面周辺から上方へ突出した大径の鍔
１１gc  包括シリンダー拡径部上縁の切欠き
１１ge  包括シリンダー拡径部
１１rb  計量板ラチェット外周の左回転禁止ラチェット
１１rh  計量板ラチェットの透孔
１１rp  計量板ラチェットの下面に設けられた円柱状の突起
１１vh  計量板の計量孔
１１vr  計量板の左回転禁止ラチェット
１１vx  計量板の上面から伸びる末広軸
１２ps  本発明の粉末吸入又は噴射投与キットのポスト
１２re  回動筒の拡径部
１２rf  回動筒の鍔
１２gs  押し上げシャフト下端の鋸歯歯車の右回転禁止ラチェット
１２nf  押し上げナットの鍔
１１bhb  計量板押さえに穿設された大径透孔
１１bhs  計量板押さえに穿設された小径透孔
１１ger  包括シリンダー拡径部の左回転禁止ラチェット
１１rpc  計量板ラチェットの下面に設けられた円柱状突起中心に設けられた３角形の凹窩
１１vxb  計量板上面から立上がる末広軸の大径部
１１vxs  計量板上面から立上がる末広軸の小径部
１２rfc  押し上げナットの鍔に設けられた切欠き
Ａ    本発明の粉末吸入キット(Ａ)自体
Ｂ    本発明の粉末噴射供給キット(Ｂ)自体
Ｃ    オーバーキャップ
Ａc    本発明の粉末吸入キット(Ａ)の筒状部
Ａk    本発明の粉末吸入キット(Ａ)の基幹部
Ａp    本発明の粉末吸入キット(Ａ)の圧縮部材
Ａm    本発明の粉末吸入キット(Ａ)の吸入部
Ａr    本発明の粉末吸入キット(Ａ)の基幹部下半に刻設された下方移動禁止ラチェット
Ａs    本発明の粉末吸入キット(Ａ)の圧縮部材を押し上げる棒状部材
Ａv    本発明の粉末吸入キット(Ａ)の計量部材
Ａmd    本発明の粉末吸入キット(Ａ)の吸入部内部の気体流通路
Ａmi    本発明の粉末吸入キット(Ａ)の吸入部における開口
Ａmw    本発明の粉末吸入キット(Ａ)の吸入部内部の仕切壁
Ａsr    本発明の粉末吸入キット(Ａ)の棒状部材下端域における係合歯
Ａve    本発明の粉末吸入キット(Ａ)の計量部材末端におけるヘッド
Ａvh    本発明の粉末吸入キット(Ａ)の計量部材における計量孔
Ｂj    本発明の粉末噴射供給キット(Ｂ)における噴射部
Ｂb    本発明の粉末噴射供給キット(Ｂ)に装着された圧送気体収容部材
Ｂc    本発明の粉末噴射供給キット(Ｂ)の筒状部
Ｂk    本発明の粉末噴射供給キット(Ｂ)の基幹部
Ｂp    本発明の粉末噴射供給キット(Ｂ)の圧縮部材
Ｂr    本発明の粉末噴射供給キット(Ｂ)の基幹部下半に刻設された下方移動禁止ラチェット
Ｂs    本発明の粉末噴射供給キット(Ｂ)の圧縮部材を押し上げる棒状部材
Ｂv    本発明の粉末噴射供給キット(Ｂ)の計量部材
Ｂji    本発明の粉末噴射供給キット(Ｂ)における噴射部の開口
Ｂjd    本発明の粉末噴射供給キット(Ｂ)の噴射部内部の気体流通路
Ｂsr    本発明の粉末噴射供給キット(Ｂ)の棒状部材下端域における係合歯
Ｂve    本発明の粉末噴射供給キット(Ｂ)の計量部材末端におけるヘッド
Ｂvh    本発明の粉末噴射供給キット(Ｂ)の計量部材における計量孔
【図１】
0003691891.tif 000002
【図２】
0003691891.tif 000003
【図３】
0003691891.tif 000004
【図４】
0003691891.tif 000005